(57)【特許請求の範囲】
【請求項１】
地図画像を表示する地図画像表示システムであって、
表示部と、
前記地図画像を記憶した地図データベースと、
施設の位置を施設毎に記憶した施設データベースと、
前記施設データベースに記憶される施設毎に、前記表示部に表示するのに好適な地図範囲を決定しうる決定用情報を関連付けて記憶する決定用情報記憶部と、
前記施設データベースから検索条件を満たす施設を検索し、前記施設の位置を少なくとも取得する施設検索部と、
前記施設検索部の検索によって前記検索条件に合致すると判定された施設に対応する前記決定用情報を、前記決定用情報記憶部から取得する決定用情報取得部と、
前記決定用情報取得部によって得られた決定用情報と、前記施設検索部によって得られた前記施設の位置とに基づいて、前記地図範囲を決定する地図範囲決定部と、
前記地図範囲決定部によって決定された前記地図範囲の地図画像を前記地図データベースから検索し、前記検索によって得られた地図画像を前記表示部に表示する表示制御部と、
前記施設検索部によって得られた施設の位置を含む所定の地図範囲を、基本地図範囲として算出する基本地図範囲算出部と、
を備え、
前記決定用情報記憶部は、
前記基本地図範囲に対する相対的な位置と相対的なサイズ伸縮率との少なくとも一方を示すパラメータを前記決定用情報として、前記施設のそれぞれに対応付けて記憶するパラメータ記憶部を備え、
前記地図範囲決定部は、
前記基本地図範囲算出部によって算出された基本地図範囲と、前記決定用情報取得部によって得られた決定用情報とに基づいて、前記地図範囲を決定する手段を備え、
さらに、
施設検索を行ったときに前記基本地図範囲と同じ範囲の地図画像を表示する他装置において前記施設検索後に利用者により実行される表示範囲切換操作を、施設別に蓄積する蓄積部と、
前記蓄積部により蓄積された表示範囲切換操作に基づいて、施設別の推奨される表示範囲切換操作を求める推奨操作演算部と、
前記推奨操作演算部によって求めた前記表示範囲切換操作に基づいて、前記パラメータ記憶部に記憶される決定用情報を更新する決定用情報更新部と、
を備える地図画像表示システム。
【請求項２】
請求項１に記載の地図画像表示システムであって、
前記パラメータは、
上下左右への移動操作の方向毎の回数を示す移動パラメータと、拡大操作および縮小操作の各回数を示す伸縮率パラメータとを含む、地図画像表示システム。
【請求項３】
地図画像を表示する地図画像表示システムであって、
表示部と、
前記地図画像を記憶した地図データベースと、
施設の位置を施設毎に記憶した施設データベースと、
前記施設データベースに記憶される施設毎に、前記表示部に表示するのに好適な地図範囲を決定しうる決定用情報を関連付けて記憶する決定用情報記憶部と、
前記施設データベースから検索条件を満たす施設を検索し、前記施設の位置を少なくとも取得する施設検索部と、
前記施設検索部の検索によって前記検索条件に合致すると判定された施設に対応する前記決定用情報を、前記決定用情報記憶部から取得する決定用情報取得部と、
前記決定用情報取得部によって得られた決定用情報と、前記施設検索部によって得られた前記施設の位置とに基づいて、前記地図範囲を決定する地図範囲決定部と、
前記地図範囲決定部によって決定された前記地図範囲の地図画像を前記地図データベースから検索し、前記検索によって得られた地図画像を前記表示部に表示する表示制御部と
を備え、
前記決定用情報記憶部は、
前記各施設に関連する施設の位置を表す関連施設位置情報を前記決定用情報として、前記施設のそれぞれに対応付けて記憶する関連施設位置記憶部を備える、地図画像表示システム。
【請求項４】
請求項３に記載の地図画像表示システムであって、
前記表示制御部によって、前記検索により得られた地図画像を表示した後、次の検索がなされる施設を、次検索施設として蓄積する蓄積部と、
前記蓄積部により蓄積された次検索施設の中で最も数が多い次検索施設を求める推奨次検索施設演算部と、
前記推奨次検索施設演算部によって求めた次検索施設に基づいて、前記関連施設位置記憶部に記憶される関連施設位置情報を更新する決定用情報更新部と
を備える地図画像表示システム。
【請求項５】
地図画像を表示する地図画像表示システムであって、
表示部と、
前記地図画像を記憶した地図データベースと、
施設の位置を施設毎に記憶した施設データベースと、
前記施設データベースに記憶される施設毎に、前記表示部に表示するのに好適な地図範囲を決定しうる決定用情報を関連付けて記憶する決定用情報記憶部と、
前記施設データベースから検索条件を満たす施設を検索し、前記施設の位置を少なくとも取得する施設検索部と、
前記施設検索部の検索によって前記検索条件に合致すると判定された施設に対応する前記決定用情報を、前記決定用情報記憶部から取得する決定用情報取得部と、
前記決定用情報取得部によって得られた決定用情報と、前記施設検索部によって得られた前記施設の位置とに基づいて、前記地図範囲を決定する地図範囲決定部と、
前記地図範囲決定部によって決定された前記地図範囲の地図画像を前記地図データベースから検索し、前記検索によって得られた地図画像を前記表示部に表示する表示制御部と、
前記施設検索部によって得られた施設の位置を含む所定の地図範囲を、基本地図範囲として算出する基本地図範囲算出部と、
を備え、
前記決定用情報記憶部は、
前記基本地図範囲に対する相対的な位置と相対的なサイズ伸縮率とを示すパラメータを前記決定用情報として、前記施設のそれぞれに対応付けて記憶するパラメータ記憶部を備え、
前記地図範囲決定部は、
前記基本地図範囲算出部によって算出された基本地図範囲と、前記決定用情報取得部によって得られた決定用情報とに基づいて、前記地図範囲を決定する手段を備える、地図画像表示システム。
【請求項６】
地図画像を情報表示端末に提供する地図画像提供装置であって、
前記地図画像を記憶した地図データベースと、
施設の位置を施設毎に記憶した施設データベースと、
前記施設データベースに記憶される施設毎に、前記情報表示端末に表示するのに好適な地図範囲を決定しうる決定用情報を関連付けて記憶する決定用情報記憶部と、
前記施設データベースから検索条件を満たす施設を検索し、前記施設の位置を少なくとも取得する施設検索部と、
前記施設検索部の検索によって前記検索条件に合致すると判定された施設に対応する前記決定用情報を、前記決定用情報記憶部から取得する決定用情報取得部と、
前記決定用情報取得部によって得られた決定用情報と、前記施設検索部によって得られた前記施設の位置とに基づいて、前記地図範囲を決定する地図範囲決定部と、
前記地図範囲決定部によって決定された前記地図範囲の地図画像を前記地図データベースから検索し、前記検索によって得られた地図画像を前記情報表示端末に送信する地図画像送信部と、
前記施設検索部によって得られた施設の位置を含む所定の地図範囲を、基本地図範囲として算出する基本地図範囲算出部と、
を備え、
前記決定用情報記憶部は、
前記基本地図範囲に対する相対的な位置と相対的なサイズ伸縮率との少なくとも一方を示すパラメータを前記決定用情報として、前記施設のそれぞれに対応付けて記憶するパラメータ記憶部を備え、
前記地図範囲決定部は、
前記基本地図範囲算出部によって算出された基本地図範囲と、前記決定用情報取得部によって得られた決定用情報とに基づいて、前記地図範囲を決定する手段を備え、
さらに、
施設検索を行ったときに前記基本地図範囲と同じ範囲の地図画像を表示する他装置において前記施設検索後に利用者により実行される表示範囲切換操作を、施設別に蓄積する蓄積部と、
前記蓄積部により蓄積された表示範囲切換操作に基づいて、施設別の推奨される表示範囲切換操作を求める推奨操作演算部と、
前記推奨操作演算部によって求めた前記表示範囲切換操作に基づいて、前記パラメータ記憶部に記憶される決定用情報を更新する決定用情報更新部と、
を備える地図画像提供装置。
【請求項７】
地図画像を情報表示端末に提供する地図画像提供装置であって、
前記地図画像を記憶した地図データベースと、
施設の位置を施設毎に記憶した施設データベースと、
前記施設データベースに記憶される施設毎に、前記情報表示端末に表示するのに好適な地図範囲を決定しうる決定用情報を関連付けて記憶する決定用情報記憶部と、
前記施設データベースから検索条件を満たす施設を検索し、前記施設の位置を少なくとも取得する施設検索部と、
前記施設検索部の検索によって前記検索条件に合致すると判定された施設に対応する前記決定用情報を、前記決定用情報記憶部から取得する決定用情報取得部と、
前記決定用情報取得部によって得られた決定用情報と、前記施設検索部によって得られた前記施設の位置とに基づいて、前記地図範囲を決定する地図範囲決定部と、
前記地図範囲決定部によって決定された前記地図範囲の地図画像を前記地図データベースから検索し、前記検索によって得られた地図画像を前記情報表示端末に送信する地図画像送信部と、
を備え、
前記決定用情報記憶部は、
前記各施設に関連する施設の位置を表す関連施設位置情報を前記決定用情報として、前記施設のそれぞれに対応付けて記憶する関連施設位置記憶部を備える、地図画像提供装置。
【請求項８】
地図画像を記憶した地図データベースと、施設の位置を施設毎に記憶した施設データベースとにアクセスして、地図画像を情報表示端末に提供する地図画像提供方法において、
前記施設データベースに記憶される施設毎に、前記施設の位置を含む所定の地図範囲を基本地図範囲としたときの、前記基本地図範囲に対する相対的な位置と相対的なサイズ伸縮率との少なくとも一方を示すパラメータを、前記情報表示端末に表示するのに好適な地図範囲を決定しうる決定用情報としてそれぞれ対応づけて、記憶部に記憶し、
前記施設データベースから検索条件を満たす施設を検索し、前記検索によって得られた施設の位置に基づいて前記基本地図範囲を算出し、
前記検索によって前記検索条件に合致すると判定された施設に対応する前記決定用情報を、前記記憶部から取得し、
前記取得した決定用情報と、前記算出された基本地図範囲とに基づいて、前記地図範囲を決定し、
前記決定した地図範囲の地図画像を前記地図データベースから検索し、前記検索によって得られた地図画像を前記情報表示端末に送信し、
さらに、
施設検索を行ったときに前記基本地図範囲と同じ範囲の地図画像を表示する他装置において前記施設検索後に利用者により実行される表示範囲切換操作を、施設別に蓄積し、
前記蓄積された表示範囲切換操作に基づいて、施設別の推奨される表示範囲切換操作を求め、
前記求めた前記表示範囲切換操作に基づいて、前記記憶部に記憶される決定用情報を更新する、地図画像提供方法。
【請求項９】
地図画像を記憶した地図データベースと、施設の位置を施設毎に記憶した施設データベースとにアクセスして、地図画像を情報表示端末に提供する地図画像提供方法において、
前記施設データベースに記憶される施設毎に、前記情報表示端末に表示するのに好適な地図範囲を決定しうる決定用情報を、記憶部に関連付けて記憶し、
前記施設データベースから検索条件を満たす施設を検索し、前記施設の位置を少なくとも取得し、
前記検索によって前記検索条件に合致すると判定された施設に対応する前記決定用情報を、前記記憶部から取得し、
前記取得した決定用情報と、前記検索によって得られた前記施設の位置とに基づいて、前記地図範囲を決定し、
前記決定した地図範囲の地図画像を前記地図データベースから検索し、前記検索によって得られた地図画像を前記情報表示端末に送信し、
前記決定用情報の前記記憶部への記憶は、
前記各施設に関連する施設の位置を表す関連施設位置情報を前記決定用情報として、前記施設のそれぞれに対応付けて記憶する、地図画像提供方法。
【請求項１０】
地図画像を記憶した地図データベースと、施設の位置を施設毎に記憶した施設データベースとにアクセスして、地図画像を情報表示端末に提供するためのコンピュータプログラムであって、
前記施設データベースに記憶される施設毎に、前記情報表示端末に表示するのに好適な地図範囲を決定しうる決定用情報を、記憶部に関連付けて記憶する機能と、
前記施設データベースから検索条件を満たす施設を検索し、前記施設の位置を少なくとも取得する機能と、
前記検索によって前記検索条件に合致すると判定された施設に対応する前記決定用情報を、前記記憶部から取得する機能と、
前記取得した決定用情報と、前記検索によって得られた前記施設の位置とに基づいて、前記地図範囲を決定する機能と、
前記決定した地図範囲の地図画像を前記地図データベースから検索し、前記検索によって得られた地図画像を前記情報表示端末に送信する機能と、
前記施設を検索する機能によって得られた施設の位置を含む所定の地図範囲を、基本地図範囲として算出する機能と、
をコンピュータに実現させるとともに、
前記決定用情報を記憶する機能は、
前記基本地図範囲に対する相対的な位置と相対的なサイズ伸縮率との少なくとも一方を示すパラメータを前記決定用情報として、前記施設のそれぞれに対応付けて記憶する機能を備え、
前記地図範囲を決定する機能は、
前記基本地図範囲を算出する機能によって算出された基本地図範囲と、前記決定用情報を取得する機能によって得られた決定用情報とに基づいて、前記地図範囲を決定する機能を備え、
さらに、
施設検索を行ったときに前記基本地図範囲と同じ範囲の地図画像を表示する他装置において前記施設検索後に利用者により実行される表示範囲切換操作を、施設別に蓄積する機能と、
前記蓄積された表示範囲切換操作に基づいて、施設別の推奨される表示範囲切換操作を求める機能と、
前記求めた前記表示範囲切換操作に基づいて、前記記憶部に記憶される決定用情報を更新する機能と、
をコンピュータに実現させるためのコンピュータプログラム。
【請求項１１】
地図画像を記憶した地図データベースと、施設の位置を施設毎に記憶した施設データベースとにアクセスして、地図画像を情報表示端末に提供するためのコンピュータプログラムであって、
前記施設データベースに記憶される施設毎に、前記情報表示端末に表示するのに好適な地図範囲を決定しうる決定用情報を、記憶部に関連付けて記憶する機能と、
前記施設データベースから検索条件を満たす施設を検索し、前記施設の位置を少なくとも取得する機能と、
前記検索によって前記検索条件に合致すると判定された施設に対応する前記決定用情報を、前記記憶部から取得する機能と、
前記取得した決定用情報と、前記検索によって得られた前記施設の位置とに基づいて、前記地図範囲を決定する機能と、
前記決定した地図範囲の地図画像を前記地図データベースから検索し、前記検索によって得られた地図画像を前記情報表示端末に送信する機能と、
をコンピュータに実現させるとともに、
前記決定用情報を記憶する機能は、
前記各施設に関連する施設の位置を表す関連施設位置情報を前記決定用情報として、前記施設のそれぞれに対応付けて記憶する機能を備える、コンピュータプログラム。
【発明の詳細な説明】
【技術分野】
【０００１】
本発明は、地図画像を表示する技術に関する。
【背景技術】
【０００２】
従来、コンピュータで利用可能に電子化された地図データを利用して、検索対象である施設を含む地図画像を、携帯端末などの情報機器の表示部に表示する技術が知られている（特許文献１）。この表示の際に表示部に表示される地図画像の範囲は、予め定められた縮尺率と、表示部の画面サイズとから決まっていた。
【先行技術文献】
【特許文献】
【０００３】
【特許文献１】特開２００９−１５０８３９号公報
【０００４】
しかしながら、前記従来の技術では、利用者は、施設を中心とする所定の範囲の情報を得ることができるだけであり、施設そのものよりも、施設の近隣、例えば、最寄りのインターチェンジや駐車場等の情報を得たい場合に、逐一、表示位置をスクロールしたり、拡大／縮小したりする必要があり、操作が煩雑なものであった。このため、情報機器を用いた地図表示には、利用者の利便性のさらなる向上が求められていた。
【発明の概要】
【発明が解決しようとする課題】
【０００５】
本発明は、地図表示技術において、利用者の利便性を向上することを目的とする。
【課題を解決するための手段】
【０００６】
本発明は、上述の課題の少なくとも一部を解決するために以下の形態または適用例として実現することが可能である。
【０００７】
［適用例１］  地図画像を表示する地図画像表示システムであって、表示部と、前記地図画像を記憶した地図データベースと、施設の位置を施設毎に記憶した施設データベースと、前記施設データベースに記憶される施設毎に、前記表示部に表示するのに好適な地図範囲を決定しうる決定用情報を関連付けて記憶する決定用情報記憶部と、前記施設データベースから検索条件を満たす施設を検索し、前記施設の位置を少なくとも取得する施設検索部と、前記施設検索部の検索によって前記検索条件に合致すると判定された施設に対応する前記決定用情報を、前記決定用情報記憶部から取得する決定用情報取得部と、前記決定用情報取得部によって得られた決定用情報と、前記施設検索部によって得られた前記施設の位置とに基づいて、前記地図範囲を決定する地図範囲決定部と、前記地図範囲決定部によって決定された前記地図範囲の地図画像を前記地図データベースから検索し、前記検索によって得られた地図画像を前記表示部に表示する表示制御部とを備える地図画像表示システム。
【０００８】
適用例１に係る地図画像表示システムによれば、施設データベースに記憶される施設毎に関連付けて記憶される決定用情報に基づいて、表示部に表示される地図範囲が決定される。このために、施設のそれぞれに応じた地図範囲の表示が可能となる。したがって、前記地図画像表示システムによれば、利用者が、施設を検索したいときに、情報として欲しい地図画像を提供することができ、施設によれば施設近隣の地図画像を提供することができる。この結果、利用者の利便性を向上することができる。
【０００９】
［適用例２］  適用例１に記載の地図画像表示システムであって、前記決定用情報記憶部は、各施設を分類する分類情報を各施設に対応づけて記憶する第１の記憶部と、前記分類情報のそれぞれに対応づけて地図縮尺率を記憶する第２の記憶部とを備える地図画像表示システム。
【００１０】
この構成によれば、分類情報で各施設に対して一括して、決定用情報としての地図縮尺率を関連付けることができる。したがって、各施設に決定用情報を関連付ける構成を簡単に実現することができる。
【００１１】
［適用例３］  適用例１に記載の地図画像表示システムであって、前記決定用情報記憶部は、前記各施設を当該施設の所属する地域の特性に応じて分類する分類情報を、各施設に対応づけて記憶する第１の記憶部と、前記分類情報のそれぞれに対応づけて前記決定用情報としての地図縮尺率を記憶する第２の記憶部とを備える地図画像表示システム。
【００１２】
この構成によれば、分類情報で各施設に対して一括して、決定用情報としての地図縮尺率を関連付けることができる。したがって、各施設に決定用情報を関連付ける構成を簡単に実現することができる。
【００１３】
［適用例４］  適用例１に記載の地図画像表示システムであって、前記施設検索部によって得られた施設の位置を含む所定の地図範囲を、基本地図範囲として算出する基本地図範囲算出部を備え、前記決定用情報記憶部は、前記基本地図範囲に対する相対的な位置と相対的なサイズ伸縮率との少なくとも一方を示すパラメータを前記決定用情報として、前記施設のそれぞれに対応付けて記憶するパラメータ記憶部を備え、前記地図範囲決定部は、前記基本地図範囲算出部によって算出された基本地図範囲と、前記決定用情報取得部によって得られた決定用情報とに基づいて、前記地図範囲を決定する手段を備える、地図画像表示システム。
【００１４】
この構成によれば、利用者は、基本地図範囲に対する相対的な位置および／またはサイズ伸縮率により、基本地図範囲に対する相対的な関係から地図範囲を容易に決めることができる。
【００１５】
［適用例５］  適用例４に記載の地図画像表示システムであって、施設検索を行ったときに前記基本地図範囲と同じ範囲の地図画像を表示する他装置において前記施設検索後に利用者により実行される表示範囲切換操作を、施設別に蓄積する蓄積部と、前記蓄積部により蓄積された表示範囲切換操作に基づいて、施設別の推奨される表示範囲切換操作を求める推奨操作演算部と、前記推奨操作演算部によって求めた前記表示範囲切換操作に基づいて、前記パラメータ記憶部に記憶される決定用情報を更新する決定用情報更新部とを備える、地図画像表示システム。
【００１６】
この構成によれば、前記他装置において多数の利用者により施設検索が行われた際のその後の利用者による表示範囲切換操作が、蓄積部に蓄積され、その蓄積された表示範囲切換操作に基づいて、推奨操作演算部により施設別の推奨される表示範囲切換操作が求められる。そうして、その求められた表示範囲切換操作に基づいて決定用情報が、決定用情報更新部により更新されることから、表示部に表示される地図画像は、多数の利用者の検索状況から学習されたものとなる。したがって、多数の利用者に好ましい施設周辺を提示することができ、利用者の利便性をより向上することができる。
【００１７】
［適用例６］  適用例４または５に記載の地図画像表示システムであって、前記パラメータは、上下左右への移動操作の方向毎の回数を示す移動パラメータと、拡大操作および縮小操作の各回数を示す伸縮率パラメータとを含む、地図画像表示システム。
【００１８】
利用者の多い携帯端末である携帯電話では、上下左右への移動操作、拡大／縮小操作が採用されていることから、適用例５に係る構成によれば、携帯電話への対応が容易である。
【００１９】
［適用例７］  適用例１に記載の地図画像表示システムであって、前記決定用情報記憶部は、前記各施設に関連する施設の位置を表す関連施設位置情報を前記決定用情報として、前記施設のそれぞれに対応付けて記憶する関連施設位置記憶部を備える、地図画像表示システム。
【００２０】
この構成によれば、施設のそれぞれに応じた関連施設の表示が可能となる。したがって、利用者の利便性を向上することができる。
【００２１】
［適用例８］  適用例７に記載の地図画像表示システムであって、前記表示制御部によって、前記検索により得られた地図画像を表示した後、次の検索がなされる施設を、次検索施設として蓄積する蓄積部と、前記蓄積部により蓄積された次検索施設の中で最も数が多い次検索施設を求める推奨次検索施設演算部と、前記次検索施設演算部によって求めた次検索施設に基づいて、前記関連施設位置記憶部に記憶される関連施設位置情報を更新する決定用情報更新部とを備える地図画像表示システム。
【００２２】
この構成によれば、検索対象の施設の検索に続いて検索の多い施設を元の検索対象と共に同時に見ることができ、利用者の利便性をより向上することができる。
【００２３】
［適用例９］  地図画像を情報表示端末に提供する地図画像提供装置であって、前記地図画像を記憶した地図データベースと、施設の位置を施設毎に記憶した施設データベースと、前記施設データベースに記憶される施設毎に、前記表示部に表示するのに好適な地図範囲を決定しうる決定用情報を関連付けて記憶する決定用情報記憶部と、前記施設データベースから検索条件を満たす施設を検索し、前記施設の位置を少なくとも取得する施設検索部と、前記施設検索部の検索によって前記検索条件に合致すると判定された施設に対応する前記決定用情報を、前記決定用情報記憶部から取得する決定用情報取得部と、前記決定用情報取得部によって得られた決定用情報と、前記施設検索部によって得られた前記施設の位置とに基づいて、前記地図範囲を決定する地図範囲決定部と、前記地図範囲決定部によって決定された前記地図範囲の地図画像を前記地図データベースから検索し、前記検索によって得られた地図画像を前記情報表示端末に送信する地図画像送信部とを備える地図画像提供装置。
【００２４】
適用例９に係る地図画像提供装置によれば、施設データベースに記憶される施設毎に関連付けて記憶される決定用情報に基づいて、情報表示端末に送信される地図範囲が決定される。このために、施設のそれぞれに応じた地図範囲の表示が情報表示端末で可能となる。したがって、前記地図画像表示システムによれば、利用者が、施設を検索したいときに、情報として欲しい施設近隣の地図画像を提供することができる。この結果、利用者の利便性を向上することができる。
【００２５】
［適用例１０］  地図画像を記憶した地図データベースと、施設の位置を施設毎に記憶した施設データベースとにアクセスして、地図画像を提供する地図画像提供方法において、前記施設データベースに記憶される施設毎に、前記表示部に表示するのに好適な地図範囲を決定しうる決定用情報を、記憶部に関連付けて記憶し、前記施設データベースから検索条件を満たす施設を検索し、前記施設の位置を少なくとも取得し、前記検索によって前記検索条件に合致すると判定された施設に対応する前記決定用情報を、前記決定用情報記憶部から取得し、前記取得した決定用情報と、前記検索によって得られた前記施設の位置とに基づいて、前記地図範囲を決定し、前記決定した地図範囲の地図画像を前記地図データベースから検索し、前記検索によって得られた地図画像を前記情報表示端末に送信する地図画像提供方法。
【００２６】
［適用例１１］  地図画像を記憶した地図データベースと、施設の位置を施設毎に記憶した施設データベースとにアクセスして、地図画像を提供するためのコンピュータプログラムであって、前記施設データベースに記憶される施設毎に、前記表示部に表示するのに好適な地図範囲を決定しうる決定用情報を、記憶部に関連付けて記憶する機能と、前記施設データベースから検索条件を満たす施設を検索し、前記施設の位置を少なくとも取得する機能と、前記検索によって前記検索条件に合致すると判定された施設に対応する前記決定用情報を、前記記憶部から取得する機能と、前記取得した決定用情報と、前記検索によって得られた前記施設の位置とに基づいて、前記地図範囲を決定する機能と、前記決定した地図範囲の地図画像を前記地図データベースから検索し、前記検索によって得られた地図画像を前記情報表示端末に送信する機能とをコンピュータに実現させるためのコンピュータプログラム。
【００２７】
前記適用例１０に係る地図画像提供方法、適用例１１に係るコンピュータプログラムは、それぞれ、適用例９に係る地図画像提供装置と同様に、利用者の利便性を向上することができる。また、前記適用例９に係る地図画像提供装置、適用例１０に係る地図画像提供方法、適用例１１に係るコンピュータプログラムは、それぞれ、適用例１に係る地図画像表示システムと同様にして種々の態様にて実現され得る。
【００２８】
さらに、本発明は、前記適用例１１に係るコンピュータプログラムを記録した記録媒体、そのコンピュータプログラムを含み搬送波内に具現化されたデータ信号、等の態様で実現することができる。
【図面の簡単な説明】
【００２９】
【図１】本発明の第１実施例としてのナビゲーションシステム１０の概略構成を示す説明図である。
【図２】サーバシステム１０００に格納されたデータベースの内容の説明図である。
【図３】施設データベース１０７の一例を示す説明図である。
【図４】情報提供サーバ１００で実行される施設検索処理の流れを示すフローチャートである。
【図５】決定用情報テーブル１０８の一例を示す説明図である。
【図６】施設検索サービスの結果携帯端末２００の表示パネル２０２に表示される地図範囲の一例を示す説明図である。
【図７】本発明の第２実施例としてのナビゲーションシステム２０の概略構成を示す説明図である。
【図８】従来装置で「○○カントリークラブ」を検索したときに利用者が実行する操作の一例を示す説明図である。
【図９】操作データベース２１７８の一例を示す説明図である。
【図１０】更新情報テーブル２１７９の一例を示す説明図である。
【図１１】情報提供サーバ２１００側で実行される施設検索処理の流れを示すフローチャートである。
【図１２】本発明の第３実施例としてのナビゲーションシステム３０の概略構成を示す説明図である。
【図１３】決定用情報テーブル３１０８の一例を示す説明図である。
【図１４】情報提供サーバ３１００の制御部３１０４で実行される施設検索処理の流れを示すフローチャートである。
【発明を実施するための形態】
【００３０】
以下、本発明の実施の形態について、図面を参照しながら、実施例に基づき説明する。
【００３１】
Ａ．第１実施例：
Ａ−１．ナビゲーションシステムの構成：
図１は、本発明の第１実施例としてのナビゲーションシステム１０の概略構成を示す説明図である。図示するように、ナビゲーションシステム１０は、情報提供サーバ１００と、地図サーバ１５０と、基地局ＢＳと、携帯端末２００とを含んでいる。情報提供サーバ１００と、地図サーバ１５０と、基地局ＢＳは、インターネットＩＮＴを介して通信可能に接続されている。携帯端末２００は、基地局ＢＳと無線通信することが可能であり、この結果、携帯端末２００は、基地局ＢＳを介して、情報提供サーバ１００および地図サーバ１５０と通信を行うことができる。
【００３２】
本実施例の携帯端末２００は、地図画像表示端末として機能することができる。また、携帯端末２００は、ＧＰＳ受信機２０１を備えており、これと地図画像表示機能とを用いて経路案内を行う機能を備えている。携帯端末２００は、ＧＰＳ受信機２０１と、表示パネル２０２と、音声出力部２０４と、キー入力部２０５と、無線通信回路２０６と、通話制御部２０７と、外部記憶装置２０８と、主制御部２１０とを備えている。
【００３３】
ＧＰＳ受信機２０１は、ＧＰＳ（Global Positioning System／全地球測位システム）を構成する人工衛星から送信された電波を受信する装置である。表示パネル２０２は、液晶ディスプレイとこれを駆動する駆動回路とを備えている。液晶ディスプレイは、たとえば、４８０画素×６４０画素（ＶＧＡ）の解像度を有する。表示パネル２０２には、液晶ディスプレイに限らず、有機ＥＬディスプレイなど、種々の表示装置を採用することが可能である。音声出力部２０４は、経路案内時に音声を出力するためのスピーカや、これを駆動する回路などから構成される。キー入力部２０５は、方向入力キー２０５ａや、数字入力キー２０５ｂや、その他の操作キー２０５ｃなどのキー群から構成される。携帯端末２００の利用者は、これらのキーを用いることで、各種の操作を行うことができる。
【００３４】
無線通信回路２０６は、基地局ＢＳとの間でデータ通信もしくは音声通信を行うための回路である。無線通信回路２０６は、基地局ＢＳを介して、情報提供サーバ１００や地図サーバ１５０にアクセスを行うことができる。通話制御部２０７は、音声通話のための着信や呼出、音声信号と電気信号の変換などを行う回路である。通話制御部２０７と無線通信回路２０６とを備えることにより、携帯端末２００は、携帯電話として動作することができる。外部記憶装置２０８は、ハードディスク、フラッシュメモリ、メモリカードなどで構成され得る。外部記憶装置２０８には、各種ソフトウェアやデータの格納に用いられる。
【００３５】
携帯端末２００の主制御部２１０は、携帯端末２００の上述した各部２０１〜２０８を制御するためのコントローラである。主制御部２１０は、図示しない中央演算回路（ＣＰＵ）と、ＲＯＭやＲＡＭなどの内部記憶装置を含んでいる。携帯端末２００が地図画像表示端末として機能するとき、主制御部２１０の内部記憶装置には、地図画像表示のためのプログラムが格納されている。このプログラムは、例えば、地図サーバ１５０や情報提供サーバ１００を運用する事業者によりインターネットＩＮＴおよび基地局ＢＳを介して配信されても良い。このプログラムは、使用しないときは、外部記憶装置２０８に格納され、使用時に、外部記憶装置２０８から読み出されて、主制御部２１０の内部記憶装置に格納される。主制御部２１０は、このプログラムを実行することで、後述する様々な処理／機能を実現する。
【００３６】
情報提供サーバ１００は、通信部１０２と、制御部１０４と、記憶部１０５とを備えている。制御部１０４は、情報提供サーバ１００の上述した通信部１０２および記憶部１０５を制御するためのコントローラである。通信部１０２は、インターネットＩＮＴを介して地図サーバ１５０と、インターネットＩＮＴと基地局ＢＳを介して携帯端末２００と、それぞれ通信を行うことができる。記憶部１０５には、経路データベース（ＤＢ）１０６と、施設データベース１０７と、決定用情報テーブル１０８とが格納されている。各データベース１０６、１０７および決定用情報テーブル１０８については後述する。
【００３７】
地図サーバ１５０は、通信部１５２と、制御部１５４と、記憶部１５５とを備えている。記憶部１５５には、地図データベース１５６が格納されている。制御部１５４は、地図サーバ１５０の上述した通信部１５２および記憶部１５５を制御するためのコントローラである。通信部１５２は、インターネットＩＮＴを介して情報提供サーバ１００と、インターネットＩＮＴと基地局ＢＳを介して携帯端末２００と、それぞれ通信を行うことができる。地図データベース１５６については後述する。
【００３８】
情報提供サーバ１００の制御部１０４および地図サーバ１５０の制御部１５４は、それぞれ、図示しないＣＰＵと、ＲＯＭやＲＡＭなどの内部記憶装置を含んでいる。制御部１０４および制御部１５４の内部記憶装置には、携帯端末２００と通信し、携帯端末２００の地図画像表示端末としての機能を支援するためのプログラムが格納されている。制御部１０４および制御部１５４は、これらのプログラムを実行することにより、後述する様々な処理／機能を実現する。
【００３９】
本実施例では、地図サーバ１５０と情報提供サーバ１００とは、インターネットを介して接続されるものとしたが、ＬＡＮ（ローカルエリアネットワーク）を介して接続されるものとしてもよい。また、情報提供サーバ１００と地図サーバ１５０は、一つのサーバ計算機によって構成されることも可能である。
【００４０】
図２は、サーバシステム１０００に格納されたデータベースの内容を説明する図である。図２には、上述した地図データベース１５６と、経路データベース１０６と、施設データベース１０７とが、それぞれ、概念的に示されている。
【００４１】
地図データベース１５６には、携帯端末２００に送信する地図画像を表すデータ（地図画像データ）がベクトルデータ形式で格納されている。なお、地図画像データは、ベクトルデータ形式に代えて、ビットマップ形式やＪＰＥＧデータ形式などのラスタデータ形式で格納されていても良い。この地図画像データには、地形や建物、道路等の形状を表すデータが含まれている。
【００４２】
経路データベース１０６には、地図画像データが表す地図画像に対応した領域に存在する交通経路を表すネットワーク情報と、経路属性情報Ｚ１が格納されている。ネットワーク情報は、交通経路における要素点（ノード）ＮＤを表すノードデータと、ノード間を結ぶ線分（リンク）ＬＫを表すリンクデータとを含む。ノードＮＤは、例えば、交差点、分岐点、駅などを表している。リンクＬＫは、例えば、道路、電車などの線路などの交通経路を表している。経路属性情報Ｚ１は、ノードＮＤあるいはリンクＬＫに関連付けられている。
【００４３】
経路属性情報Ｚ１は、関連付けられたリンクＬＫを特定するリンク属性データと、関連付けられたノードＮＤを特定するノード属性データとを含む。リンク属性データは、例えば、関連付けられたリンクＬＫが表す道路の名称である。ノード属性データは、例えば、関連付けられたノードＮＤが表す交差点の名称である。
【００４４】
施設データベース１０７は、地図画像データが表す地図画像に対応した領域に存在する各施設の位置を表す施設位置情報としての施設ポイントＢＰと、各施設ポイントＢＰに関連付けられた施設属性情報Ｚ２と、を含む。ここで、施設とは、ある目的のために地表上に設けられたものであり、店舗や、観光地における地物等が該当する。施設属性情報Ｚ２は、例えば、関連付けられた施設ポイントＢＰが表す位置に存在する施設の名称や住所を含む。また、施設属性情報Ｚ２には、さらに、サブ施設属性情報Ｚ２１が関連付けられている。サブ施設属性情報Ｚ２１は、例えば、対応する施設の分類情報、種類などが記述される。
【００４５】
図３は、施設データベース１０７の一例を示す説明図である。図示するように、施設データベース１０７には、種々の施設について、ナンバー、名称、電話番号、住所、ジャンル（分類情報）、種類、位置を表す各情報が記憶されている。
【００４６】
ジャンルには、例えば、「飲食店」「店舗」「病院」「宿泊」「レジャー」「車」「公共施設」などがあり、種類には、これらのジャンル毎に、例えば、飲食店について「イタリアン」、「病院」について「内科」、「レジャー」について「ゴルフ場」や「動物園」などの情報が対応付けられている。すなわち、ジャンルは、施設を大分類するもので、種類は、施設を小分類するものである。
【００４７】
位置の情報は、施設の中心位置の経度（ｘ）・緯度（ｙ）である。位置の情報が施設ポイントＢＰであり、名称、電話番号、および住所の情報が施設属性情報Ｚ２であり、ジャンルおよび種類の情報がサブ施設属性情報Ｚ２１である。なお、図示はあくまでも一例であり、図示の空欄の項目は記載を省略した。
【００４８】
Ａ−２．ナビゲーションシステムの動作：
ナビゲーションシステム１０は、携帯端末２００の利用者に対して、施設検索サービスと経路案内サービスを提供する。経路案内サービスについては、この実施例では説明を省略する。施設検索サービスについて、以下説明する。
【００４９】
施設検索サービスの利用者は、携帯端末２００を操作して、検索条件を入力する。検索条件は、検索したい施設についての名称、ジャンル、あるいは電話番号等である。携帯端末２００は、入力された検索情報を、情報提供サーバ１００に送信する。情報提供サーバ１００は、受信した検索条件に基づいて、施設データベース１０７および必要に応じて地図サーバ１５０の地図データベース１５６を照合・検索し、検索条件を満たす施設の地図画像を生成する。情報提供サーバ１００は、生成された地図画像を携帯端末２００に送信する。携帯端末２００は、受信した地図画像を表示パネル２０２に表示する。
【００５０】
図４は、情報提供サーバ１００側で実行される施設検索処理の流れを示すフローチャートである。図示する施設検索処理は、情報提供サーバ１００の制御部１０４にて実行される。処理が開始されると、制御部１０４は、まず、携帯端末２００から検索条件を受信する（ステップＳ１１０）。例えば、検索条件として施設の電話番号を受信する。次いで、制御部１０４は、施設データベース１０７を用いて検索条件を満たす施設を探す施設検索処理を実行する（ステップＳ１２０）。施設検索処理の結果、検索条件に合致（ヒット）した施設を特定し、施設ポイントＢＰで示す施設の位置を少なくとも得ることができる。
【００５１】
続いて、制御部１０４は、ステップＳ１２０でヒットした施設についてのジャンルを、施設データベース１０７から取得する（ステップＳ１３０）。図３に例示する施設データベース１０７では、例えば、名称が「○○カントリークラブ」である施設がヒットした場合、ジャンルとして「レジャー」が取得されることになる。
【００５２】
その後、制御部１０４は、ステップＳ１３０で取得されたジャンルに対応する地図縮尺率を取得する（ステップＳ１４０）。地図縮尺率とは、携帯端末２００に表示する際の地図画像の縮尺率であり、情報提供サーバ１００の記憶部１０５に格納されている決定用情報テーブル１０８を検索することにより得られる。
【００５３】
図５は、決定用情報テーブル１０８の一例を示す説明図である。図示するように、決定用情報テーブル１０８は、「ジャンル」のフィールドｆｄ１と「地図縮尺率」のフィールドｆｄ２とを備え、「ジャンル」のフィールドｆｄ１の各項目と「地図縮尺率」のフィールドｆｄ２とを対応付ける表形式のデータである。図示するように、例えば、ステップＳ１３０で取得されたジャンルが「レジャー」である場合、「１／１５０００」の地図縮尺率が得られる。
【００５４】
なお、この決定用情報テーブル１０８と、施設データベース１０７に備えられる「ジャンル」のフィールドとにより、各施設と決定用情報である地図縮尺率との関連付けがなされることになる。すなわち、本発明における「決定用情報記憶部」は、決定用情報テーブル１０８と、施設データベース１０７に備えられる「ジャンル」のフィールドとにより構成される。また、決定用情報テーブル１０８は適用例２に記載の発明における「第２の記憶部」に相当し、施設データベース１０７に備えられる「ジャンル」のフィールドは適用例２に記載の発明における「第１の記憶部」に相当する。
【００５５】
その後、制御部１０４は、ステップＳ１４０で得られた地図縮尺率と、ステップＳ１２０の施設検索処理でヒットした施設についての施設ポイントＢＰとに基づいて地図範囲を決定する（ステップＳ１５０）。詳しくは、ステップＳ１２０で得られた施設ポイントＢＰで示される経度（ｘ）・緯度（ｙ）を中心とし、ステップＳ１４０で得られた地図縮尺率と携帯端末２００の表示パネル２０２の縦横サイズとから決まる実寸上の表示範囲を求め、この実寸上の表示範囲を地図範囲とする。この地図範囲は、表示パネル２０２の形状に対応した矩形であり、例えば、北西角の経度・緯度と南東角の経度・緯度とで表される。
【００５６】
続いて、制御部１０４は、ステップＳ１５０で決定した地図範囲を、地図サーバ１５０の地図データベース１５６と照合・検索し、地図範囲についての地図画像を地図データベース１５６から取得する（ステップＳ１６０）。その後、制御部１０４は、取得した地図画像を携帯端末２００に送信し（ステップＳ１７０）、この施設検索処理を終了する。携帯端末２００は、情報提供サーバ１００から送られてくる地図画像を受信し、受信した地図画像を表示パネル２０２に表示する。
【００５７】
Ａ−３．実施例効果：
図６は、上記施設検索サービスの結果、携帯端末２００の表示パネル２０２に表示される地図範囲の一例を示す説明図である。図中の１点鎖線の内側の矩形の領域が、従来装置で表示される従来地図範囲ＰＡである。図中の１点鎖線の外側の矩形の領域が地図範囲ＭＰである。従来地図範囲ＰＡは、一定の地図縮尺率（例えば１／２５００）、または、前回利用時に利用者によって設定された地図縮尺率から定まるものである。これに対して、本実施例で表示される地図範囲ＭＰは、ヒットした施設のジャンルから決まった地図縮尺率から定まったものとなる。
【００５８】
ジャンルが「レジャー」である施設は、例えば「飲食店」や「店舗」等に比べて、広い専有面積を持つことが多く、また遠方から出向くことも多い。このため、利用者は、最寄りのインターチェンジ等を含めた広範囲から案内を受けることを望むことが多い。これに対して、本実施例では、「レジャー」のときの地図縮尺率（１／１５０００）は、「飲食店」や「店舗」のときの地図縮尺率（１／２５００）よりも高くなっていることから、地図範囲ＭＰは従来地図範囲ＰＡよりも広範囲となり、上記利用者の要望に合わせることができる。したがって、利用者の利便性を向上することができる。
【００５９】
Ａ−４．変形例：
本発明の第１実施例の変形例ついて、次に説明する。
【００６０】
・第１変形例：
第１実施例では、各施設のジャンル毎に地図縮尺率（以下、「縮尺率」と呼ぶ）を関連づけて、表示部に表示する地図範囲を決定していたが、これに換えて、各施設の種類（前述した施設を小分類する種類）毎に縮尺率を対応づけて、表示部に表示する地図範囲を決定する構成としてもよい。例えば、「ゴルフ場」、「ホテル」といった小分類に応じた縮尺率が地図画像を表示することができる。
【００６１】
・第２変形例：
第１実施例では、各施設のジャンル毎に地図縮尺率（以下、「縮尺率」と呼ぶ）を関連づけて、表示部に表示する地図範囲を決定していたが、これに換えて、各施設に郊外か都会かの区別を対応づけて、前記区別毎に縮尺率を対応づけて、表示部に表示する地図範囲を決定する構成としてもよい。都会は、ヒットした施設に近接して多数の施設が位置していることから、地図範囲は狭くすることが好ましい。一方、郊外は、ヒットした施設の周りには施設が数少ないから、地図範囲は広くすることが好ましい。この変形例では、郊外の施設は高い縮尺率を、都会の施設は低い縮尺率を対応づけることにより、都会を狭く、郊外を広く表示することができる。なお、施設が郊外か都会かは、施設データベース１０７から住所を検索し、住所から定まる地域の人口等から判定することができる。
【００６２】
なお、第２変形例では、施設を郊外か都会かの区別を各施設に対応づけていたが、これに換えて、人気のテーマパークに近いか否かの区別を各施設に対応づける構成としてもよい。要は、施設の所属する地域の特性に応じて分類する分類情報に各施設を対応づける構成であればどのような構成としてもよい。
【００６３】
・第３変形例：
前記第１変形例では、郊外か都会かという地域状況により縮尺率を変えていたが、これに換えて、施設の近隣の状況、例えば、施設周辺に多数の施設が存在するか否かの状況により縮尺率を換えてもよい。要は、施設の地域状況であれば、どのような状況に換えることもできる。
【００６４】
Ｂ．第２実施例：
本発明の第２実施例について説明する。
【００６５】
Ｂ−１．ナビゲーションシステムの構成：
図７は、本発明の第２実施例としてのナビゲーションシステム２０の概略構成を示す説明図である。本発明の第２実施例としてのナビゲーションシステム２０は、第１実施例のナビゲーションシステム１０と比較して、サーバシステム２０００に情報提供サーバ２１００と地図サーバ１５０とを備える点で同一であり、サーバシステム２０００に決定用情報提供サーバ２１７０を備える点で相違する。また、ナビゲーションシステム２０は、第１実施例のナビゲーションシステム１０と同一の基地局ＢＳと携帯端末２００とを含んでいる。なお、第１実施例と同一のパーツには同じ符号を付した。
【００６６】
情報提供サーバ２１００は、第１実施例の情報提供サーバ１００と比較して、決定用情報テーブル２１０８の内容と、制御部２１０４で実行される施設検索処理の内容が相違し、その他の構成は同一である。地図サーバ１５０は、第１実施例の地図サーバ１５０と同一である。
【００６７】
決定用情報提供サーバ２１７０は、情報提供サーバ２１００に対して決定用情報テーブル２１０８の更新情報を提供するためのサーバである。また、決定用情報提供サーバ２１７０は、携帯端末２００以外の多数の携帯端末（図示せず）の地図画像表示端末として機能する。携帯端末２００は、後述する施設検索サービスの提供を受ける端末であり、これに対して、携帯端末２００以外の多数の携帯端末は、決定用情報提供サーバ２１７０にアクセスすることで、従来技術で構成される施設検索サービス（以下、「従来施設検索サービス」と呼ぶ）の提供を受ける。
【００６８】
決定用情報提供サーバ２１７０は、通信部２１７２と、制御部２１７４と、記憶部２１７５とを備えている。制御部２１７４は、通信部２１７２および記憶部２１７５を制御するためのコントローラである。通信部２１７２は、インターネットＩＮＴを介して情報提供サーバ１００と、インターネットＩＮＴと基地局ＢＳを介して前記多数の携帯端末と、それぞれ通信を行うことができる。記憶部２１７５には、経路データベース２１７６と、施設データベース２１７７と、操作データベース２１７８と、更新情報テーブル２１７９とが格納されている。経路データベース２１７６と施設データベース２１７７は、情報提供サーバ２１００に備えられる経路データベース１０６と施設データベース１０７と同一である。操作データベース２１７８と更新情報テーブル２１７９については後述する。
【００６９】
決定用情報提供サーバ２１７０の制御部２１７４は、図示しないＣＰＵと、ＲＯＭやＲＡＭなどの内部記憶装置を含んでいる。内部記憶装置に含まれるプログラムをＣＰＵにより実行することにより、前記更新情報の学習処理を行う。この更新情報の学習処理について次に説明する。
【００７０】
Ｂ−２．ナビゲーションシステムの動作：
図８は、従来施設検索サービスを提供する従来装置で「○○カントリークラブ」を検索したときに、利用者が実行する操作の一例を示す説明図である。いま、「○○カントリークラブ」を施設検索すると、従来装置の表示パネルには従来地図範囲Ｐ１の地図画像が表示される。このとき、利用者は、最寄りのインターチェンジである「○○インターチェンジ」周辺の地図画像を見るために、携帯端末を操作し、表示パネルの表示範囲を変更地図範囲Ｐ２に切り換える。図示の例では、利用者は、次の（ｉ）〜（ｖ）の操作を順に行うことで、変更地図範囲Ｐ２への切り換えを行ったものとする。
【００７１】
（ｉ）携帯端末の数字入力キーである［１］キーを押すことにより、[拡大]指令を入力する。
（ii）携帯端末の方向入力キーである［→］キーを押すことにより、[右スクロール]指令を入力する。
（iii）携帯端末の方向入力キーである［→］キーを押すことにより、[右スクロール]指令を入力する。
（iv）携帯端末の方向入力キーである［→］キーを押すことにより、[右スクロール]指令を入力する。
（ｖ）携帯端末の方向入力キーである［↓］キーを押すことにより、[下スクロール]指令を入力する。
【００７２】
[拡大]は指令対象を予め定められた倍率（サイズ伸縮率）Ｚで拡大する処理であり、 [右スクロール] は指令対象を所定の距離Ｍｒだけ右方向に移動する処理であり、[下スクロール]指令は指令対象を所定の距離Ｍｌだけ下方向に移動する処理である。上記（ｉ）〜（ｖ）の操作は、一人の利用者の任意の時のものであり、利用者によっても、利用の時によっても相違する。決定用情報提供サーバ２１７０は、前記従来装置と同じ施設検索サービスを提供するものであり、さらに、携帯端末と通信を行い、施設検索処理において検索がなされる毎に、利用者により行われる一連の操作を、検索対象を区別して蓄積する処理を行う。なお、上記一連の操作の終了時点（例えば、上記（ｖ）の操作が終わった後）は、例えば、利用者によって所定時間（例えば、３秒）以上、操作がなされたときを判定することにより検知される。上記蓄積は、記憶部２１７５に格納される操作データベース２１７８に対して行われる。なお、この一連の操作を、以下、「表示範囲切換操作」と呼ぶ。
【００７３】
図９は、操作データベース２１７８の一例を示す説明図である。図示するように、操作データベース２１７８には、施設ナンバー（施設データベース１０７のナンバーと同一；以下、必要に応じて「施設ナンバー」と呼んだり、「ナンバー」と呼ぶ）と、施設ナンバーに関連付けて表示範囲切換操作とが記憶されている。これにより、施設毎に区分けされて表示範囲切換操作が蓄積されることになる。図中のＡ１の行が上記（ｉ）〜（ｖ）の表示範囲切換操作に該当する。
【００７４】
決定用情報提供サーバ２１７０は、所定の期間、例えば１０日とか１ヶ月とか毎に、操作データベース２１７８の蓄積内容を解析して、各施設の最も利用頻度が高い操作の組合せを更新情報として求める処理を、更に行う。なお、操作データベース２１７８の蓄積内容は、上記解析の終了毎にクリアするものとする。図９において、Ａ１〜Ａ３の行に示す表示範囲切換操作は、３回の右スクロールと１回の下スクロールと１回の拡大との組合せであり、図示の例示においては、最も利用頻度が高い組合せである。決定用情報提供サーバ２１７０は、最も利用頻度が高い組合せを、各施設の更新情報として、記憶部２１７５に用意した更新情報テーブル２１７９に記憶する。
【００７５】
図１０は、更新情報テーブル２１７９の一例を示す説明図である。図示するように、更新情報テーブル２１７９は、「施設ナンバー」、「上スクロール」、「下スクロール」、「左スクロール」、「右スクロール」、「拡大」、「縮小」の各フィールドｆｄ１１〜ｆｄ１７を備え、施設ナンバー毎の各操作の回数を記憶する表形式のデータである。「○○カントリークラブ」を示す施設ナンバーが「５」である行には、前述した例示である３回の右スクロールと１回の下スクロールと１回の拡大との組合せである旨が記憶される。
【００７６】
以上の決定用情報提供サーバ２１７０により実行される処理（学習処理）により、前記所定の期間において、多数の利用者が施設検索処理を行った際の表示範囲切換操作から得られる最も利用頻度が高い操作の組合せが施設別に、更新情報テーブル２１７９に記憶される。
【００７７】
更新情報テーブル２１７９が新たに作成される毎に、操作データベース２１７８は、情報提供サーバ２１００と通信を行い、情報提供サーバ２１００に対して更新情報テーブル２１７９を送信する。情報提供サーバ２１００は受信した更新情報テーブル２１７９の内容でもって、決定用情報テーブル２１０８を更新する。
【００７８】
情報提供サーバ２１００に記憶される決定用情報テーブル２１０８は、図１０に示した更新情報テーブル２１７９と同じデータ形式を備えている。情報提供サーバ２１００は、受信した更新情報テーブル２１７９の内容を決定用情報テーブル２１０８に転送する。このとき、決定用情報テーブル２１０８に同一の施設ナンバーのデータレコード（図中の１行分が１データレコード）が既に存在する場合には、更新情報テーブル２１７９の該当する施設ナンバーのデータレコードを上書きし、同一でない施設ナンバーのデータレコードについては追加する。
【００７９】
以上のように構成されたナビゲーションシステム２０は、携帯端末２００の利用者に対して、本実施例独自の施設検索サービスを提供する。この施設検索サービスについて、以下説明する。
【００８０】
図１１は、情報提供サーバ２１００側で実行される施設検索処理の流れを示すフローチャートである。図示する施設検索処理は、情報提供サーバ２１００の制御部２１０４にて実行される。処理が開始されると、制御部２１０４は、携帯端末２００から検索条件を受信し（ステップＳ１１０）、施設検索処理を実行する（ステップＳ１２０）。ステップＳ１１０およびＳ１２０は、第１実施例と同一の処理であり、同じステップ番号を付した。
【００８１】
次いで、制御部２１０４は、ステップＳ１２０でヒットした施設についての基本地図範囲を求める（ステップＳ２２５）。詳細には、図３に例示する施設データベース１０７から、ヒットした施設に対応する施設ポイントＢＰを取得し、その施設ポイントＢＰを中心とする予め定められた矩形の範囲を、基本地図範囲として求める。なお、この基本地図範囲は、図８で説明した従来地図範囲Ｐ１と一致する。
【００８２】
続いて、ステップＳ１２０でヒットした施設についてのナンバーを、施設データベース１０７（図３参照）から取得する（ステップＳ２３０）。図３に例示する施設データベース１０７では、例えば、名称が「○○カントリークラブ」である施設がヒットした場合、ナンバーとして「５」が取得されることになる。
【００８３】
その後、制御部２１０４は、ステップＳ２３０で取得されたナンバーに対応する決定用情報を取得する（ステップＳ２４０）。決定用情報は、「上スクロール」、「下スクロール」、「左スクロール」、「右スクロール」、「拡大」、「縮小」の各操作の回数で規定される情報であり、情報提供サーバ１００の記憶部１０５に格納されている決定用情報テーブル１０８を検索することにより得られる。すなわち、ステップＳ２４０では、ステップＳ２３０で取得されたナンバーを検索キーとして決定用情報テーブル１０８を検索することにより、ステップＳ１３０で取得されたナンバーに対応する前記各操作の回数を求める。
【００８４】
その後、制御部２１０４は、ステップＳ２４０で得られた決定用情報としての前記各操作の回数と、ステップＳ２２５で求められた基本地図範囲とに基づいて、ステップＳ１２０の施設検索処理でヒットした施設の地図範囲を決定する（ステップＳ２５０）。詳しくは、制御部２１０４は、ステップＳ２２５で求められた基本地図範囲に対して、前記各操作で決まる移動もしくはサイズ変化を各操作の回数だけそれぞれ施すことによって求める。例えば、先に例示した３回の右スクロールと１回の下スクロールと１回の拡大というものである場合、基本地図範囲を前記所定の距離Ｍｒの３倍ぶんだけ右方向に移動し、次いで、前記所定の距離Ｍｌだけ下方向に移動し、次いで、前記倍率Ｚで拡大し、この結果得られる地図範囲を前記施設の地図範囲と定める。
【００８５】
続いて、制御部２１０４は、ステップＳ２５０で決定した地図範囲についての地図画像を地図データベース１５６から取得し（ステップＳ１６０）、その取得した地図画像を携帯端末２００に送信する（ステップＳ１７０）。ステップＳ１６０およびＳ１７０は、第１実施例と同一の処理であり、同じステップ番号を付した。ステップＳ１７０の実行後、この施設検索処理を終了する。
【００８６】
携帯端末２００は、情報提供サーバ２１００から送られてくる地図画像を受信し、受信した地図画像を表示パネル２０２に表示する。この結果、表示パネル２０２には、例えば、図８の変更地図範囲Ｐ２の地図画像が表示される。
【００８７】
Ｂ−３．実施例効果：
したがって、従来装置で「○○カントリークラブ」を検索したときに、図８に示すように、従来地図範囲Ｐ１の地図画像が表示されるところを、第２実施例のナビゲーションシステム２０によれば、変更地図範囲Ｐ２が表示される。このため、利用者は、検索対象の施設ではなく、最寄りのインターチェンジ等の施設周辺の地図画像を最初から見ることができる。したがって、利用者の利便性を向上することができる。特に、本実施例では、どの地図範囲を表示するかを、多数の利用者の検索状況から学習するようにしていることから、多数の利用者に好ましい施設周辺を提示することができ、利用者の利便性をより向上することができる。
【００８８】
Ｂ−４．変形例：
本発明の第２実施例の変形例ついて、次に説明する。
【００８９】
・第４変形例：
第２実施例において、決定用情報は、「上スクロール」、「下スクロール」、「左スクロール」、「右スクロール」の各回数と、「拡大」、「縮小」の各回数とを含む構成としたが、これに換えて、前者の回数と後者の回数のうちの少なくとも一方だけを含む構成としてもよい。すなわち、従来地図範囲Ｐ１から変更地図範囲Ｐ２への変更を、「上スクロール」、「下スクロール」、「左スクロール」、「右スクロール」の移動操作だけ、もしくは、「拡大」、「縮小」のサイズ伸縮操作だけで行うようにして、決定用情報を、移動操作の各回数またはサイズ伸縮操作の各回数を含む構成としてもよい。
【００９０】
・第５変形例：
なお、前記移動操作の回数は、基本地図範囲に対する相対的な位置を示すものであるが、この相対的な位置を示すことができる移動パラメータであれば、前記移動操作の回数に換えて、方向と距離、等とすることもできる。また、前記サイズ伸縮操作の回数は、基本地図範囲に対する倍率を示すものであるが、このサイズ伸縮率を示すことができる伸縮率パラメータであれば、前記サイズ伸縮操作の回数に換えて、倍率を示す数値とすることもできる。すなわち、前記第２実施例では、更新情報テーブルに利用者の操作の回数を記憶することで、基本地図範囲に対する相対的な位置および倍率を蓄積する構成としたが、これに換えて、更新情報テーブルに、基本地図範囲に対する相対的な位置および倍率を記憶する構成としてもよい。この際、情報提供サーバに記憶される決定用情報テーブル２１０８も、前記決定用情報テーブルと同じデータ形式とする。
【００９１】
・第６変形例：
第２実施例では、決定用情報提供サーバ２１７０を設けて、情報提供サーバ２１００に備えられる決定用情報テーブル２１０８を更新する構成としたが、これに換えて、決定用情報提供サーバ２１７０を設けることを止めて、決定用情報テーブル２１０８を予め定められたものとすることもできる。
【００９２】
Ｃ．第３実施例：
本発明の第３実施例について説明する。
【００９３】
Ｃ−１．ナビゲーションシステムの構成：
図１２は、本発明の第３実施例としてのナビゲーションシステム３０の概略構成を示す説明図である。本発明の第３実施例としてのナビゲーションシステム３０は、第１実施例のナビゲーションシステム１０（図１）と比較して、情報提供サーバ３１００に備えられる決定用情報テーブル３１０８の内容と、情報提供サーバ３１００に備えられる制御部３１０４で実行される施設検索処理の内容が相違し、その他の構成は同一である。なお、第１実施例と同一のパーツには同じ符号を付した。
【００９４】
図１３は、決定用情報テーブル３１０８の一例を示す説明図である。図示するように、決定用情報テーブル３１０８は、「施設ナンバー」、「関連施設位置」の各フィールドｆｄ２１、ｆｄ２２を備える表形式のデータである。施設ナンバーと関連施設位置との対応づけがなされている。
【００９５】
「施設ナンバー」のフィールドｆｄ２１には、前述した施設ナンバーが記憶される。「関連施設位置」のフィールドｆｄ２２には、施設ナンバーで特定される施設に関連する施設の位置を表す関連施設位置情報としての関連施設ポイントＸＰが記憶される。位置の情報は、施設の中心位置の経度（ｕ）・緯度（ｖ）で示される。関連する施設としては、例えば、最寄りのインターチェンジや、最寄りの駐車場、最寄りの駅、施設が提供するイベント会場等、種々のものがあり得る。例えば、施設ナンバーが「５」である「○○カントリークラブ」には、最寄りのインターチェンジである「○○インターチェンジ」の経度（ｕ）・緯度（ｖ）が記憶されている。
【００９６】
Ｃ−２．ナビゲーションシステムの動作：
図１４は、情報提供サーバ３１００の制御部３１０４で実行される施設検索処理の流れを示すフローチャートである。処理が開始されると、制御部３１０４は、携帯端末２００から検索条件を受信し（ステップＳ１１０）、施設検索処理を実行する（ステップＳ１２０）。ステップＳ１１０およびＳ１２０は、第１実施例と同一の処理であり、同じステップ番号を付した。
【００９７】
次いで、制御部３１０４は、ステップＳ１２０でヒットした施設についての関連施設ポイントＸＰを、決定用情報テーブル３１０８から取得する（ステップＳ３３０）。図３に例示する決定用情報テーブル３１０８では、例えば、施設ナンバーが「５」である「○○カントリークラブ」がヒットした場合、最寄りのインターチェンジである「○○インターチェンジ」の経度（ｕ）・緯度（ｖ）が関連施設ポイントＸＰとして取得されることになる。
【００９８】
その後、制御部３１０４は、ステップＳ１３０で得られた関連施設ポイントＸＰと、ステップＳ１２０の施設検索処理でヒットした施設についての施設ポイントＢＰとに基づいて地図範囲を決定する（ステップＳ３５０）。詳しくは、ステップＳ１２０で得られた施設ポイントＢＰとステップＳ１３０で得られた関連施設ポイントＸＰとの双方を含む地図範囲を求める。この地図範囲は、表示パネル２０２の形状に対応した矩形であり、例えば、北西角の経度・緯度と南東角の経度・緯度とで表される。
【００９９】
続いて、制御部２１０４は、ステップＳ２５０で決定した地図範囲についての地図画像を地図データベース１５６から取得し（ステップＳ１６０）、その取得した地図画像を携帯端末２００に送信する（ステップＳ１７０）。ステップＳ１６０およびＳ１７０は、第１実施例と同一の処理であり、同じステップ番号を付した。ステップＳ１７０の実行後、この施設検索処理を終了する。
【０１００】
Ｃ−３．実施例効果：
したがって、従来装置で「○○カントリークラブ」を検索したときに、施設ポイントＢＰを中心とする従来地図範囲Ｐ１（図８）の地図画像が表示されるところを、第３実施例のナビゲーションシステム３０によれば、施設ポイントＢＰと関連施設ポイントＸＰとの双方を含む地図画像が表示される。このため、利用者は、検索対象の施設だけではなく、最寄りのインターチェンジ等の施設周辺の地図画像を最初から見ることができる。したがって、利用者の利便性を向上することができる。
【０１０１】
Ｃ−４．変形例：
本発明の第３実施例の変形例ついて、次に説明する。
【０１０２】
・第７変形例：
前記第３実施例では、決定用情報テーブルは、施設ナンバーと関連施設位置とを対応づける構成であったが、これに換えて、施設ナンバーと関連ジャンルとを対応づける構成としてもよい。関連ジャンルとは、対象施設のジャンルに関連するジャンルであり、例えば、対象施設のジャンルが「レジャー」である場合に、関連ジャンルとして「宿泊」を対応づける。その上で、情報提供サーバは、ヒットした施設（検索施設）の周辺にある関連ジャンルの施設を検索し、ヒットした関連ジャンルの施設の施設ポイントと、前記検索施設の施設ポイントの双方を含む地図画像を表示する。この第７変形例によれば、利用者は、検索施設と関連ジャンルの施設との双方を含む地図画像を最初から見ることができる。したがって、利用者の利便性を向上することができる。
【０１０３】
・第８変形例：
第７変形例のさらなる変形として、施設ナンバーと関連種類とを対応づける構成としてもよい。関連種類とは、対象施設の種類（前述した施設を小分類する種類）に関連する種類であり、例えば、対象施設のジャンルが「ゴルフ場」である場合に、関連ジャンルとして「インターチェンジ」を対応づける。その上で、情報提供サーバは、ヒットした施設（検索施設）の周辺にある関連種類の施設を検索し、ヒットした関連種類の施設の施設ポイントと、前記検索施設の施設ポイントの双方を含む地図画像を表示する。この第８変形例によれば、利用者は、検索施設と関種類の施設との双方を含む地図画像を最初から見ることができる。したがって、利用者の利便性を向上することができる。
【０１０４】
・第９変形例：
前記第３実施例では、決定用情報テーブルに含まれる関連施設位置は予め定められたものであったが、これに換えて、関連施設位置は学習制御により逐次更新される構成としてもよい。詳しくは、施設検索サービスにより施設検索が行われる際に、検索対象の施設が検索された後、次の検索がなされる施設（以下、「次検索施設」と呼ぶ）を蓄積記憶する。そうして、所定の期間毎に、前記蓄積された次検索施設の中で最も数が多い次検索施設を新たな関連連施設として選択し、その選択された関連施設の位置でもって、前記決定用情報テーブルに含まれる関連施設位置を更新する。この第９変形例によれば、検索対象の施設の検索に続いて検索の多い施設を元の検索対象と共に同時に見ることができ、利用者の利便性をより向上することができる。
【０１０５】
・第１０変形例：
前記第９変形例では、検索対象の施設と次検索施設とを併せて一画面に表示する構成であったが、これに換えて、最初に検索対象の施設を表示し、その後、所定の入力キー、例えば、［→］の方向入力キーが押されたときに、次検索施設を表示する構成としてもよい。
【０１０６】
Ｄ．その他の変形例：
・第１１変形例：
前記各実施例および各変形例では、決定用情報の種々の態様を示してきたが、これら態様に限る必要はなく、表示部に表示するに好適な地図範囲を決定しうる情報であれば、どのような情報でもよい。また、決定用情報は、施設毎に関連付けることはもちろんのこと、第１実施例のように、各施設をグループ分けし、グループ毎に決定用情報を関連付ける構成としてもよい。
【０１０７】
・第１２変形例：
前記各実施例および各変形例は、サーバシステムと携帯端末が分離した携帯型のナビゲーションシステムであるが、本発明は経路データベース、施設データベース１０７、地図データベースなどのサーバシステムを有する構成と、表示パネル、キー入力部などの携帯端末を有する構成とが一体になった経路案内システム、例えば、車載型のナビゲーション装置にも適用可能である。また、前記第２実施例において、情報提供サーバ２１００と決定用情報提供サーバ２１７０とが一体となった構成等、種々の組合せにより構成することもできる。なお、この情報提供サーバ２１００と決定用情報提供サーバ２１７０とを一体化した構成によれば、経路データベースと施設データベースとを一組とすることができる。さらに、第１実施例において、経路データベースや施設データベースを別のサーバに置く等、さらに細分化する構成としてもよい。
【０１０８】
決定用情報提供サーバ２１７０は、前記各実施例および各変形例は、また、移動体としての携帯端末２００は、必ずしも携帯電話としての機能を備える必要はなく、ノートパソコンやＰＤＡ等の他の情報表示端末による構成としてもよい。
【０１０９】
・第１３変形例：
前記各実施例および各変形例は、施設検索サービスにより本発明を実現していたが、これに換えて、経路案内サービスにおける目的地を表示する際に本発明を実現する構成としてもよい。
【０１１０】
前記実施例および各変形例において、ハードウェアによって実現されていた構成の一部をソフトウェアに置き換えるようにしてもよく、逆に、ソフトウェアによって実現されていた構成の一部をハードウェアに置き換えるようにしても良い。
【０１１１】
なお、前述した実施例および各変形例における構成要素の中の、独立請求項で記載された要素以外の要素は、付加的な要素であり、適宜省略可能である。また、本発明はこれらの実施例および各変形例になんら限定されるものではなく、その要旨を逸脱しない範囲内において種々の態様での実施が可能である。
【符号の説明】
【０１１２】
１０、２０、３０…ナビゲーションシステム
１００…情報提供サーバ
１０２…通信部
１０４…制御部
１０５…記憶部
１０６…経路データベース
１０７…施設データベース
１０８…決定用情報テーブル
１５０…地図サーバ
１５２…通信部
１５４…制御部
１５５…記憶部
１５６…地図データベース
２００…携帯端末
２０１…ＧＰＳ受信機
２０２…表示パネル
２０４…音声出力部
２０５…キー入力部
２０５ａ…方向入力キー
２０５ｂ…数字入力キー
２０５ｃ…操作キー
２０６…無線通信回路
２０７…通話制御部
２０８…外部記憶装置
２１０…主制御部
１０００…サーバシステム
２０００…サーバシステム
２１００…情報提供サーバ
２１０４…制御部
２１０８…決定用情報テーブル
２１７０…決定用情報提供サーバ
２１７２…通信部
２１７４…制御部
２１７５…記憶部
２１７６…経路データベース
２１７７…施設データベース
２１７８…操作データベース
２１７９…更新情報テーブル
３１００…情報提供サーバ
３１０４…制御部
３１０８…決定用情報テーブル
ＢＳ…基地局
ＩＮＴ…インターネット
【図１】
0005455731.tif 000002
【図２】
0005455731.tif 000003
【図３】
0005455731.tif 000004
【図４】
0005455731.tif 000005
【図５】
0005455731.tif 000006
【図６】
0005455731.tif 000007
【図７】
0005455731.tif 000008
【図８】
0005455731.tif 000009
【図９】
0005455731.tif 000010
【図１０】
0005455731.tif 000011
【図１１】
0005455731.tif 000012
【図１２】
0005455731.tif 000013
【図１３】
0005455731.tif 000014
【図１４】
0005455731.tif 000015